【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】
第１の機器を用い、前記第１の機器とは異なる表示能力を有する第２の機器に表示されるべき情報を構成する方法であって、
前記第１の機器から第１の入力を受取るコンピュータ実施ステップを含み、前記第１の入力は前記第２の機器に表示されるべき情報を特定し、前記方法はさらに、
前記第１の機器に、情報が前記第２の機器に表示されるとどのように見えるかの、第１の映像表示を生成させるコンピュータ実施ステップと、
前記第１の入力に基づき、前記第２の機器に表示されるべき情報を特定するデータを記憶するコンピュータ実施ステップと、
前記データに基づき、前記データが特定する情報を、前記第２の機器に表示するために伝送するコンピュータ実施ステップと、
前記第１の機器に第２の映像表示を生成させるコンピュータ実施ステップとを含み、前記第２の映像表示は前記第２の機器を示し、前記方法はさらに、
前記第１の機器に第３の映像表示を生成させるコンピュータ実施ステップを含み、前記第３の映像表示は、前記第１の映像表示と前記第２の映像表示との組合せであり、前記第３の映像表示は情報を表示する前記第２の機器を示すようにする、方法。
【請求項２】
前記第１の機器から第２の入力を受取るステップをさらに含み、前記第２の入力は、前記第２の機器に表示されるべき情報を変更し、さらに、
前記第２の入力に応答して、前記第１の機器に対し、前記第２の入力によって変更された情報が前記第２の機器に表示されるとどのように見えるかの、変更された第１の映像表示を生成させるステップと、
前記第２の入力に基づき、前記第２の機器に表示された情報を変更するステップとを含む、請求項１に記載の方法。
【請求項３】
前記第１の機器から第２の入力を受取るステップをさらに含み、前記第２の入力は、前記第２の機器で情報を表示するためのフォーマットを特定し、さらに、
前記第２の入力に応答して、前記第１の機器に対し、前記フォーマットに基づいて、情報が前記第２の機器に表示されるとどのように見えるかの、変更された第１の映像表示を生成させるステップを含む、請求項１に記載の方法。
【請求項４】
前記第１の機器から第２の入力を受取るステップをさらに含み、前記第２の入力は、情報が前記第２の機器に表示されるとどのように見えるかを変更し、さらに、
前記第２の入力に応答して、前記第１の機器に対し、前記第２の入力によって変更された情報が前記第２の機器に表示されるとどのように見えるかの、変更された第１の映像表示を生成させるステップを含む、請求項１に記載の方法。
【請求項５】
前記第１の機器に対し、情報が第３の機器に表示されるとどのように見えるかの、第３の映像表示を生成させるステップをさらに含み、前記第３の機器は、前記第１の機器または前記第２の機器と異なる表示能力を有する、請求項１に記載の方法。
【請求項６】
前記第１の映像表示および前記第３の映像表示は前記第１の機器に同時に表示される、請求項５に記載の方法。
【請求項７】
情報は、前記第２の機器に表示されるべき第１の組のデータを特定し、前記方法はさらに、
前記第１の機器から第２の入力を受取るステップを含み、前記第２の入力は、前記第２の機器に表示されるべき第２の組のデータを特定する付加的情報を特定し、前記第１の組のデータおよび前記第２の組のデータは、前記第２の機器に同時に表示されず、前記方法はさらに、
前記第１の機器に対し、（ａ）情報が前記第２の機器に表示されるとどのように見えるかの、前記第１の映像表示および（ｂ）付加的情報が前記第２の機器に表示されるとどのように見えるかの、第２の映像表示を共に、同時に表示させるステップを含む、請求項１に記載の方法。
【請求項８】
前記第１の機器は汎用コンピュータである、請求項１に記載の方法。
【請求項９】
前記第２の機器は、ワイヤレス接続を介して通信するよう構成される、請求項１に記載の方法。
【請求項１０】
前記第２の機器は携帯電話である、請求項９に記載の方法。
【請求項１１】
前記第１の機器からの前記第１の入力は、ウェブページを示すウィンドウの第１のフレームを介して受取られ、前記第１の映像表示は前記ウィンドウの第２のフレーム内に表示される、請求項１に記載の方法。
【請求項１２】
前記第２の機器に表示されるべき情報は、サービスからの使用が可能なコンテンツの特定の部分である、請求項１に記載の方法。
【請求項１３】
前記第２の機器に表示されるべき情報は、サービスからの使用が可能なアプリケーションである、請求項１に記載の方法。
【請求項１４】
第１の機器を用い、前記第１の機器とは異なる表示能力を有する第２の機器に表示されるべき情報を構成する方法であって、
前記第１の機器から第１の入力を受取るコンピュータ実施ステップを含み、前記第１の入力は前記第２の機器に表示されるべき情報を特定し、前記方法はさらに、
前記第１の機器に、情報が前記第２の機器に表示されるとどのように見えるかの、第１の映像表示を生成させるコンピュータ実施ステップと、
前記第１の入力に基づき、前記第２の機器に表示されるべき情報を特定するデータを記憶するコンピュータ実施ステップと、
前記データに基づき、前記データが特定する情報を、前記第２の機器に表示するため伝送するコンピュータ実施ステップと、
前記第１の機器に第２の映像表示を生成させるコンピュータ実施ステップとを含み、前記第２の映像表示は前記第２の機器を示し、前記方法はさらに、
前記第１の機器からデータを受取るコンピュータ実施ステップを含み、前記データは前記第２の機器の前記第２の映像表示とのユーザの対話に応答して生成され、前記方法はさらに、
前記データに基づき、前記第１の機器に対し、前記第２の機器が前記ユーザの対話に応答してどのように動作するかを視覚的にエミュレートさせるコンピュータ実施ステップを含む、方法。
【請求項１５】
第１の機器を用い、前記第１の機器とは異なる表示能力を有する第２の機器に表示されるべき情報を構成する方法であって、
前記第１の機器から第１の入力を受取るコンピュータ実施ステップを含み、前記第１の入力は前記第２の機器に表示されるべき情報を特定し、前記方法はさらに、
前記第１の機器に対し、情報が前記第２の機器に表示されるとどのように見えるかの、第１の映像表示を生成させるコンピュータ実施ステップと、
前記第１の入力に基づき、前記第２の機器に表示されるべき情報を特定するデータを記憶するコンピュータ実施ステップと、
前記データに基づき、前記データが特定する情報を、前記第２の機器に表示するため伝送するコンピュータ実施ステップと、
前記第１の機器に第２の映像表示を生成させるコンピュータ実施ステップとを含み、前記第２の映像表示は前記第２の機器を示し、前記方法はさらに、
前記第１の機器からデータを受取るコンピュータ実施ステップを含み、前記データは情報の前記第１の映像表示とのユーザの対話に応答して生成され、前記方法はさらに、
前記データに基づき、前記第１の機器に対し、前記ユーザの対話の結果として、情報が前記第２の機器に表示されるとどのように見えるかの、変更された第１の映像表示を生成させるコンピュータ実施ステップを含む、方法。
【請求項１６】
汎用コンピュータを用いて携帯機器に表示されるべきコンテンツを構成する方法であって、
前記汎用コンピュータで第１のユーザ入力を受取るコンピュータ実施ステップを含み、前記第１のユーザ入力は、前記携帯機器で表示されるべきコンテンツを特定し、前記方法はさらに、
前記汎用コンピュータに対し、コンテンツが前記携帯機器に表示されるとどのように見えるかの、第１のイメージを生成させるコンピュータ実施ステップと、
前記第１のユーザ入力に基づき、前記携帯機器に表示されるべきコンテンツを特定するデータを記憶するコンピュータ実施ステップと、
前記データに基づき、前記データが特定するコンテンツを、前記携帯機器に表示するため伝送するコンピュータ実施ステップと、
前記汎用コンピュータに第２のイメージを生成させるコンピュータ実施ステップとを含み、前記第２のイメージは前記携帯機器を示し、
コンテンツが前記携帯機器に表示されるとどのように見えるかの、前記第１のイメージと、前記携帯機器の前記第２のイメージとが組合されて第３のイメージを形成し、前記第３のイメージはコンテンツを表示する前記携帯機器を示す、方法。
【請求項１７】
前記汎用コンピュータで第２のユーザ入力を受取るステップをさらに含み、前記第２のユーザ入力は、前記携帯機器で表示されるべきコンテンツを変更し、前記方法はさらに、
前記第２のユーザ入力に応答して、前記汎用コンピュータに対し、前記第２のユーザ入力によって変更されたコンテンツが前記携帯機器に表示されるとどのように見えるかの、
変更された第１のイメージを生成させるステップと、
前記第２のユーザ入力に基づき、前記携帯機器に表示されたコンテンツを変更するステップとを含む、請求項１６に記載の方法。
【請求項１８】
前記汎用コンピュータで付加的データを受取るステップをさらに含み、前記付加的データは前記携帯機器の前記第２のイメージとのユーザの対話に応答して生成され、前記方法はさらに、
前記付加的データに基づき、前記携帯機器が前記ユーザの対話に応答してどのように動作するかをエミュレートするステップを含む、請求項１６に記載の方法。
【請求項１９】
コンテンツは、前記携帯機器に表示されるべき第１の組のデータを特定し、前記方法はさらに、
前記汎用コンピュータで第２のユーザ入力を受取るステップを含み、前記第２のユーザ入力は、前記携帯機器に表示されるべき第２の組のデータを特定する付加的コンテンツを特定し、前記第１の組のデータと前記第２の組のデータとは前記携帯機器に同時に表示されず、前記方法はさらに、
前記汎用コンピュータに対し、（ａ）コンテンツが前記携帯機器に表示されるとどのように見えるかの、前記第１のイメージと、（ｂ）付加的コンテンツが前記携帯機器に表示されるとどのように見えるかの、第２のイメージとを共に同時に表示させるステップを含む、請求項１６に記載の方法。
【請求項２０】
第２の機器の種類の第２の機器に表示するためのコンテンツを特定するための、第１の機器の種類の機器であって、
前記第２の機器に表示されるべきコンテンツを特定するユーザインターフェイスと、
コンテンツが前記第２の機器に表示されるとどのように見えるかの、第１の映像表示を表示するディスプレイ領域とを含み、
第２の機器に表示されるコンテンツは、前記ユーザインターフェイスを介して受取られた第１の入力に基づき、
前記第２の機器に表示されるべき情報を特定するデータは記憶され、
前記データに基づき、前記データが特定する情報は、前記第２の機器に表示するため伝送され、
前記ディスプレイ領域は、第２の映像表示を表示するよう構成され、前記第２の映像表示は前記第２の機器を示し、
コンテンツが前記第２の機器に表示されるとどのように見えるかの、前記第１の映像表示と、前記第２の機器の前記第２の映像表示とは組合されて第３の映像表示を形成し、
前記第３の映像表示は、情報を表示する前記第２の機器を示す、機器。
【請求項２１】
前記ユーザインターフェイスは、前記第２の機器に表示されるべきコンテンツを変更する第２の入力を受取るよう構成され、
前記第２の入力に応答して、前記ディスプレイ領域は、前記第２の入力によって変更されたコンテンツが、前記第２の機器に表示されるとどのように見えるかの、変更された第１の映像表示を表示するよう構成され、
前記第２の入力に基づき、前記第２の機器に表示されるコンテンツを変更する、請求項２０に記載の機器。
【請求項２２】
前記ユーザインターフェイスは、前記第２の機器にコンテンツを表示するためのフォーマットを特定する第２の入力を受取るよう構成され、
前記第２の入力に応答して、前記ディスプレイ領域は、前記フォーマットに基づき、コンテンツが前記第２の機器に表示されるとどのように見えるかの、変更された第１の映像表示を表示するよう構成される、請求項２０に記載の機器。
【請求項２３】
前記ユーザインターフェイスは、コンテンツが前記第２の機器に表示されるとどのように見えるかを変更する第２の入力を受取るよう構成され、
前記第２の入力に応答して、前記ディスプレイ領域は、前記第２の入力によって変更されたコンテンツが前記第２の機器に表示されるとどのように見えるかの、変更された第１の映像表示を表示するよう構成される、請求項２０に記載の機器。
【請求項２４】
ユーザインターフェイスは第３の機器にデータを送出するよう構成され、前記データは前記第２の機器に表示されるべきコンテンツを特定し、
前記第３の機器は前記データを記憶するよう構成され、
前記第３の機器は、前記第２の機器に表示するため、前記データが特定するコンテンツを伝送するよう構成される、請求項２０に記載の機器。
【請求項２５】
前記ディスプレイ領域は、コンテンツが第３の機器の種類の第３の機器に表示されるとどのように見えるかの、第３の映像表示を表示するよう構成される、請求項２０に記載の機器。
【請求項２６】
前記ディスプレイ領域は、前記第１の映像表示と前記第３の映像表示とを同時に表示するよう構成される、請求項２５に記載の機器。
【請求項２７】
コンテンツは、前記第２の機器に表示されるべき第１の組のデータを特定し、
前記ユーザインターフェイスは、付加的コンテンツを特定する入力を受取るよう構成され、前記付加的コンテンツは、前記第２の機器に表示されるべき第２の組のデータを特定し、前記第１の組のデータと前記第２の組のデータとは前記第２の機器に同時に表示されず、
前記ディスプレイ領域は、（ａ）コンテンツが前記第２の機器に表示されるとどのように見えるかの、前記第１の映像表示および（ｂ）付加的コンテンツが前記第２の機器に表示されるとどのように見えるかの、第２の映像表示を共に、同時に表示するよう構成される、請求項２０に記載の機器。
【請求項２８】
前記機器は汎用コンピュータである、請求項２０に記載の機器。
【請求項２９】
前記第２の機器は、ワイヤレス接続を介して通信するよう構成される、請求項２０に記載の機器。
【請求項３０】
前記第２の機器は携帯電話である、請求項２９に記載の機器。
【請求項３１】
ウェブページを示すウィンドウをさらに含み、前記ウィンドウは、
ユーザ入力を受取り、前記ユーザ入力を前記ユーザインターフェイスに送出するよう構成される第１のフレームと、
コンテンツが前記第２の機器に表示されるとどのように見えるかの、前記第１の映像表示を表示する前記ディスプレイ領域を有する第２のフレームとを含む、請求項２０に記載の機器。
【請求項３２】
前記第２の機器に表示されるべきコンテンツは、サービスからの使用が可能なコンテンツの特定の部分である、請求項２０に記載の機器。
【請求項３３】
前記第２の機器に表示されるべきコンテンツは、サービスからの使用が可能なアプリケーションである、請求項２０に記載の機器。
【請求項３４】
第２の機器の種類の第２の機器に表示するためのコンテンツを特定するための、第１の機器の種類の機器であって、
前記第２の機器に表示されるべきコンテンツを特定するユーザインターフェイスと、
コンテンツが前記第２の機器に表示されるとどのように見えるかの、第１の映像表示を表示するディスプレイ領域とを含み、
第２の機器に表示されるコンテンツは、前記ユーザインターフェイスを介して受取られた第１の入力に基づき、
前記第２の機器に表示されるべき情報を特定するデータは記憶され、
前記データに基づき、前記データが特定する情報は、前記第２の機器に表示するために伝送され、
前記ディスプレイ領域は、第２の映像表示を表示するよう構成され、前記第２の映像表示は前記第２の機器を示し、
前記ユーザインターフェイスは、情報の前記第２の映像表示とのユーザの対話に応答して生成されたデータを受取るよう構成され、
前記ディスプレイ領域は、前記第２の機器が前記ユーザの対話に応答してどのように動作するかを視覚的にエミュレートするよう構成される、機器。
【請求項３５】
第２の機器の種類の第２の機器に表示するためのコンテンツを特定するための、第１の機器の種類の機器であって、
前記第２の機器に表示されるべきコンテンツを特定するユーザインターフェイスと、
コンテンツが前記第２の機器に表示されるとどのように見えるかの、第１の映像表示を表示するディスプレイ領域とを含み、
第２の機器に表示されるコンテンツは、前記ユーザインターフェイスを介して受取られた第１の入力に基づき、
前記第２の機器に表示されるべき情報を特定するデータは記憶され、
前記データに基づき、前記データが特定する情報は、前記第２の機器に表示するために伝送され、
前記ディスプレイ領域は、第２の映像表示を表示するよう構成され、前記第２の映像表示は前記第２の機器を示し、
前記ユーザインターフェイスは、前記第２の機器の前記第１の映像表示とのユーザの対話に応答して生成されたデータを受取るよう構成され、
前記ディスプレイ領域は、コンテンツが前記ユーザの対話の結果として前記第２の機器に表示されるとどのように見えるかの、変更された第１の映像表示を表示するよう構成される、機器。
【請求項３６】
携帯機器に表示するためのコンテンツを特定するための汎用コンピュータであって、
前記携帯機器に表示されるべきコンテンツを特定する第１のユーザ入力を受取るよう構成されるユーザインターフェイスと、
コンテンツが前記携帯機器に表示されるとどのように見えるかの、第１のイメージを表示するディスプレイ領域とを含み、
前記携帯機器に表示されるコンテンツは、前記ユーザインターフェイスを介して受取られた前記第１のユーザ入力に基づき、
前記携帯機器に表示されるべきコンテンツを特定するデータは記憶され、
前記データに基づき、前記データが特定するコンテンツは、前記携帯機器に表示するために伝送され、
前記ディスプレイ領域は、第２のイメージを表示するよう構成され、前記第２のイメージは前記携帯機器を示し、
コンテンツが前記携帯機器に表示されるとどのように見えるかの、前記第１のイメージと、前記携帯機器の前記第２のイメージとは組合されて第３のイメージを形成し、前記第３のイメージは、コンテンツを表示する前記携帯機器を示す、汎用コンピュータ。
【請求項３７】
前記ユーザインターフェイスは、前記携帯機器に表示されるべきコンテンツを変更する第２のユーザ入力を受取るよう構成され、
前記第２のユーザ入力に応答して、前記ディスプレイ領域は、前記第２のユーザ入力によって変更されたコンテンツが、前記携帯機器に表示されるとどのように見えるかの、変更された第１のイメージを表示するよう構成され、
前記第２のユーザ入力に基づき、前記ディスプレイ領域は、前記携帯機器に表示されるコンテンツへの変更を表示するよう構成される、請求項３６に記載の機器。
【請求項３８】
前記ユーザインターフェイスは、携帯機器の前記第２のイメージとのユーザの対話に応答して生成された付加的データを受取るよう構成され、
前記ディスプレイ領域は、前記付加的データに基づき、前記携帯機器が前記ユーザの対話に応答してどのように動作するかをエミュレートするよう構成される、請求項３６に記載の機器。
【請求項３９】
コンテンツは、前記携帯機器に表示されるべき第１の組のデータを特定し、
前記ユーザインターフェイスは、前記携帯機器に表示されるべき第２の組のデータを特定する付加的コンテンツを特定する第２のユーザ入力を受取るよう構成され、
前記第１の組のデータと前記第２の組のデータとは前記携帯機器に同時に表示されず、
前記ディスプレイ領域は、（ａ）コンテンツが前記携帯機器に表示されるとどのように見えるかの、前記第１のイメージおよび（ｂ）付加的コンテンツが前記携帯機器に表示されるとどのように見えるかの、第２のイメージを共に、同時に表示するよう構成される、請求項３６に記載の機器。
【請求項４０】
第１の機器を用い、前記第１の機器とは異なる表示能力を有する第２の機器に表示されるべき情報を構成するための命令の１つ以上のシーケンスを有する、コンピュータによる読出可能な媒体であって、前記命令は、１つ以上のプロセッサによって実行されると、前記１つ以上のプロセッサに対し、
前記第１の機器から第１の入力を受取るステップを実行させ、前記第１の入力は、前記第２の機器に表示されるべき情報を特定し、前記命令はさらに、１つ以上のプロセッサによって実行されると、前記１つ以上のプロセッサに対し、
前記第１の機器に対し、情報が前記第２の機器に表示されるとどのように見えるかの、第１の映像表示を生成させるステップと、
前記第１の入力に基づき、前記第２の機器に表示されるべき情報を特定するデータを記憶するステップと、
前記データに基づき、前記データが特定する情報を、前記第２の機器に表示するために伝送するステップと、
前記第１の機器に第２の映像表示を生成させるステップとを実行させ、前記第２の映像表示は前記第２の機器を示し、前記命令はさらに、１つ以上のプロセッサによって実行されると、前記１つ以上のプロセッサに対し、
前記第１の機器に第３の映像表示を生成させるステップを実行させ、前記第３の映像表示は、前記第１の映像表示と前記第２の映像表示との組合せであり、前記第３の映像表示は情報を表示する前記第２の機器を示すようにする、コンピュータによる読出可能な媒体。
【請求項４１】
命令をさらに含み、前記命令は、１つ以上のプロセッサによって実行されると、前記１つ以上のプロセッサに対し、
前記第１の機器から第２の入力を受取るステップを実行させ、前記第２の入力は、前記第２の機器に表示されるべき情報を変更し、前記命令はさらに、１つ以上のプロセッサによって実行されると、前記１つ以上のプロセッサに対し、
前記第２の入力に応答して、前記第１の機器に対し、前記第２の入力によって変更された情報が、前記第２の機器に表示されるとどのように見えるかの、変更された第１の映像表示を生成させるステップと、
前記第２の入力に基づき、前記第２の機器に表示された情報を変更するステップとを実行させる、請求項４０に記載の、コンピュータによる読出可能な媒体。
【請求項４２】
命令をさらに含み、前記命令は、１つ以上のプロセッサによって実行されると、前記１つ以上のプロセッサに対し、
前記第１の機器から第２の入力を受取るステップを実行させ、前記第２の入力は、前記第２の機器に情報を表示するためのフォーマットを特定し、前記命令はさらに、１つ以上のプロセッサによって実行されると、前記１つ以上のプロセッサに対し、
前記第２の入力に応答して、前記第１の機器に対し、前記フォーマットに基づき、情報が前記第２の機器に表示されるとどのように見えるかの、変更された第１の映像表示を生成させるステップを実行させる、請求項４０に記載の、コンピュータによる読出可能な媒体。
【請求項４３】
命令をさらに含み、前記命令は、１つ以上のプロセッサによって実行されると、前記１つ以上のプロセッサに対し、
前記第１の機器から第２の入力を受取るステップを実行させ、前記第２の入力は、情報が前記第２の機器に表示されるとどのように見えるかを変更し、前記命令はさらに、１つ以上のプロセッサによって実行されると、前記１つ以上のプロセッサに対し、
前記第２の入力に応答して、前記第１の機器に対し、前記第２の入力によって変更された情報が、前記第２の機器に表示されるとどのように見えるかの、変更された第１の映像表示を生成させるステップを実行させる、請求項４０に記載の、コンピュータによる読出可能な媒体。
【請求項４４】
情報は、前記第２の機器に表示されるべき第１の組のデータを特定し、前記コンピュータによる読出可能な媒体は命令をさらに含み、前記命令は、１つ以上のプロセッサによって実行されると、前記１つ以上のプロセッサに対し、
前記第１の機器から第２の入力を受取るステップを実行させ、前記第２の入力は、前記第２の機器に表示されるべき第２の組のデータを特定する付加的情報を特定し、前記第１の組のデータと前記第２の組のデータとは、前記第２の機器に同時に表示されず、前記命令はさらに、１つ以上のプロセッサによって実行されると、前記１つ以上のプロセッサに対し、
前記第１の機器に対し、（ａ）情報が前記第２の機器に表示されるとどのように見えるかの、前記第１の映像表示および（ｂ）付加的情報が前記第２の機器に表示されるとどのように見えるかの、第２の映像表示を共に、同時に表示させるステップを実行させる、請求項４０に記載の、コンピュータによる読出可能な媒体。
【請求項４５】
前記第１の機器は汎用コンピュータである、請求項４０に記載の、コンピュータによる読出可能な媒体。
【請求項４６】
前記第２の機器は、ワイヤレス接続を介して通信するよう構成される、請求項４０に記載の、コンピュータによる読出可能な媒体。
【請求項４７】
前記第２の機器は携帯電話である、請求項４６に記載の、コンピュータによる読出可能な媒体。
【請求項４８】
前記第１の機器からの前記第１の入力は、ウェブページを示すウィンドウの第１のフレームを介して受取られ、前記第１の映像表示は前記ウィンドウの第２のフレーム内に表示
される、請求項４０に記載の、コンピュータによる読出可能な媒体。
【請求項４９】
前記第２の機器に表示されるべき情報は、サービスからの使用が可能なコンテンツの特定の部分である、請求項４０に記載の、コンピュータによる読出可能な媒体。
【請求項５０】
前記第２の機器に表示されるべき情報は、サービスからの使用が可能なアプリケーションである、請求項４０に記載の、コンピュータによる読出可能な媒体。
【請求項５１】
第１の機器を用い、前記第１の機器とは異なる表示能力を有する第２の機器に表示されるべき情報を構成するための命令の１つ以上のシーケンスを有する、コンピュータによる読出可能な媒体であって、前記命令は、１つ以上のプロセッサによって実行されると、前記１つ以上のプロセッサに対し、
前記第１の機器から第１の入力を受取るステップを実行させ、前記第１の入力は、前記第２の機器に表示されるべき情報を特定し、前記命令はさらに、１つ以上のプロセッサによって実行されると、前記１つ以上のプロセッサに対し、
前記第１の機器に対し、情報が前記第２の機器に表示されるとどのように見えるかの、第１の映像表示を生成させるステップと、
前記第１の入力に基づき、前記第２の機器に表示されるべき情報を特定するデータを記憶するステップと、
前記データに基づき、前記第２の機器に表示するために、前記データが特定する情報を伝送するステップと、
前記第１の機器に第２の映像表示を生成させるステップとを実行させ、前記第２の映像表示は前記第２の機器を示し、前記命令はさらに、１つ以上のプロセッサによって実行されると、前記１つ以上のプロセッサに対し、
前記第１の機器からデータを受取るステップを実行させ、前記データは、前記第２の機器の前記第２の映像表示とのユーザの対話に応答して生成され、前記命令はさらに、１つ以上のプロセッサによって実行されると、前記１つ以上のプロセッサに対し、
前記データに基づき、前記第１の機器に対し、前記第２の機器が前記ユーザの対話に応答してどのように動作するかを視覚的にエミュレートさせるステップを実行させる、コンピュータによる読出可能な媒体。
【請求項５２】
第１の機器を用い、前記第１の機器とは異なる表示能力を有する第２の機器に表示されるべき情報を構成するための命令の１つ以上のシーケンスを有する、コンピュータによる読出可能な媒体であって、前記命令は、１つ以上のプロセッサによって実行されると、前記１つ以上のプロセッサに対し、
前記第１の機器から第１の入力を受取るステップを実行させ、前記第１の入力は、前記第２の機器に表示されるべき情報を特定し、前記命令はさらに、１つ以上のプロセッサによって実行されると、前記１つ以上のプロセッサに対し、
前記第１の機器に対し、情報が前記第２の機器に表示されるとどのように見えるかの、第１の映像表示を生成させるステップと、
前記第１の入力に基づき、前記第２の機器に表示されるべき情報を特定するデータを記憶するステップと、
前記データに基づき、前記第２の機器に表示するために、前記データが特定する情報を伝送するステップと、
前記第１の機器に第２の映像表示を生成させるステップとを実行させ、前記第２の映像表示は前記第２の機器を示し、前記命令はさらに、１つ以上のプロセッサによって実行されると、前記１つ以上のプロセッサに対し、
前記第１の機器からデータを受取るステップを実行させ、前記データは、情報の前記第１の映像表示とのユーザの対話に応答して生成され、前記命令はさらに、１つ以上のプロセッサによって実行されると、前記１つ以上のプロセッサに対し、
前記データに基づき、前記第１の機器に対し、前記ユーザの対話の結果として情報が前記第２の機器に表示されるとどのように見えるかの、変更された第１の映像表示を生成させるステップを実行させる、コンピュータによる読出可能な媒体。
【請求項５３】
命令をさらに含み、前記命令は、前記１つ以上のプロセッサにより実行されると、前記１つ以上のプロセッサに対し、
情報が第３の機器に表示されるとどのように見えるかの、第３の映像表示を前記第１の機器に生成させるステップを実行させ、前記第３の機器は、前記第１の機器または前記第２の機器のいずれかと異なる表示能力を有する、請求項４０に記載の、コンピュータによる読出可能な媒体。
【請求項５４】
前記第１の映像表示と前記第３の映像表示とは前記第１の機器に同時に表示される、請求項５３に記載の、コンピュータによる読出可能な媒体。
【請求項５５】
汎用コンピュータを用い、携帯機器に表示されるべきコンテンツを構成するための命令の１つ以上のシーケンスを有する、コンピュータによる読出可能な媒体であって、前記命令は、１つ以上のプロセッサによって実行されると、前記１つ以上のプロセッサに対し、
前記汎用コンピュータで第１のユーザ入力を受取るステップを実行させ、前記第１のユーザ入力は、前記携帯機器に表示されるべきコンテンツを特定し、前記命令はさらに、１つ以上のプロセッサによって実行されると、前記１つ以上のプロセッサに対し、
前記汎用コンピュータに対し、コンテンツが前記携帯機器に表示されるとどのように見えるかの、第１のイメージを生成させるステップと、
前記第１のユーザ入力に基づき、前記携帯機器に表示されるべきコンテンツを特定するデータを記憶するステップと、
前記データに基づき、前記データが特定するコンテンツを前記携帯機器に表示するために伝送するステップと、
前記汎用コンピュータに第２のイメージを生成させるステップとを実行させ、前記第２のイメージは前記携帯機器を示し、
コンテンツが前記携帯機器に表示されるとどのように見えるかの、前記第１のイメージと、前記携帯機器の前記第２のイメージとが組合されて第３のイメージを形成し、前記第３のイメージはコンテンツを表示する前記携帯機器を示す、コンピュータによる読出可能な媒体。
【請求項５６】
命令をさらに含み、前記命令は、前記１つ以上のプロセッサにより実行されると、前記１つ以上のプロセッサに対し、
前記汎用コンピュータで第２のユーザ入力を受取るステップを実行させ、前記第２のユーザ入力は前記携帯機器に表示されるべきコンテンツを変更し、前記命令はさらに、１つ以上のプロセッサによって実行されると、前記１つ以上のプロセッサに対し、
前記第２のユーザ入力に応答して、前記第２のユーザ入力により変更されたコンテンツが前記携帯機器に表示されるとどのように見えるかの、変更された第１のイメージを前記汎用コンピュータに生成させるステップと、
前記第２のユーザ入力に基づき、前記携帯機器に表示されるコンテンツを変更するステップとを実行させる、請求項５５に記載のコンピュータによる読出可能な媒体。
【請求項５７】
命令をさらに含み、前記命令は、前記１つ以上のプロセッサにより実行されると、前記１つ以上のプロセッサに対し、
前記汎用コンピュータで付加的データを受取るステップを実行させ、前記付加的データは携帯機器の前記第２のイメージとのユーザの対話に応答して生成され、前記命令はさらに、１つ以上のプロセッサによって実行されると、前記１つ以上のプロセッサに対し、
前記付加的データに基づき、前記ユーザの対話に応答して前記携帯機器がどのように動
作するかをエミュレートするステップを実行させる、請求項５５に記載のコンピュータによる読出可能な媒体。
【請求項５８】
コンテンツは前記携帯機器に表示されるべき第１の組のデータを特定し、前記コンピュータによる読出可能な媒体は命令をさらに含み、前記命令は、前記１つ以上のプロセッサにより実行されると、前記１つ以上のプロセッサに対し、
前記汎用コンピュータで第２のユーザ入力を受取るステップを実行させ、前記第２のユーザ入力は、前記携帯機器に表示されるべき第２の組のデータを特定する付加的コンテンツを特定し、前記第１の組のデータおよび前記第２の組のデータは前記携帯機器に同時に表示されず、前記命令はさらに、１つ以上のプロセッサによって実行されると、前記１つ以上のプロセッサに対し、
前記汎用コンピュータに対し、（ａ）コンテンツが前記携帯機器に表示されるとどのように見えるかの、前記第１のイメージおよび（ｂ）付加的コンテンツが前記携帯機器に表示されるとどのように見えるかの、第２のイメージを共に、同時に表示させるステップを実行させる、請求項５５に記載のコンピュータによる読出可能な媒体。